(57)【要約】      （修正有）【課題】手術で汚れた鉗子を効率よくきれいに洗浄することができ、しかも、鉗子を破損することもなく、手を傷つける可能性も少なく、はずしタイプの鉗子においては、加えて、元の状態に復帰させやすい鉗子用洗浄補助具を提供する。【解決手段】金属等の棒状剛体をコ字状に構成した補助具本体１を備え、この補助具本体１の相対向する一対の腕部２，３のそれぞれの端部にストッパー５，６を設け、鉗子の一対のリングハンドル１０ａ、１０ｂに前記一対の腕部２，３を挿通したときに、鉗子９が所定角度開くように前記腕部２，３の間隔を設定した。【選択図】図１
2007296242.tif 000002
【特許請求の範囲】
【請求項１】
金属等の棒状剛体をコ字状に構成した補助具本体を備え、この補助具本体の相対向する一対の腕部のそれぞれの端部にストッパーを設け、鉗子の一対のリングハンドルに前記一対の腕部を挿通したときに、鉗子が所定角度開くように前記腕部の間隔を設定したことを特徴とする鉗子用洗浄補助具。
【請求項２】
前記補助具本体を洗浄用ワイヤーバスケットに設置した場合にワイヤーバスケットの網目に嵌入する少なくとも２個の突片を前記補助具本体に設けたことを特徴とする請求項１記載の鉗子用洗浄補助具。
【請求項３】
前記一対の腕部の間隔を、一つの洗浄補助具に複数種類設けたことを特徴とする請求項１記載の鉗子用洗浄補助具。
【請求項４】
前記一対の腕部の異なる間隔毎にストッパーを設けたことを特徴とする請求項３記載の鉗子用洗浄補助具。
【請求項５】
金属等の棒状剛体で構成された、相対向する一対の腕部とこれらの腕部の両端部それぞれを連結する連結部とよりなる補助具本体を備え、前記一対の連結部は前記一対の腕部が構成する平面に対し一定角度をなしており、前記一対の腕部の間隔は、はずしタイプの鉗子のリングハンドルに前記一対の腕部が挿通する寸法に設定されていることを特徴とする鉗子用洗浄補助具。
【請求項６】
前記補助具本体を洗浄用ワイヤーバスケットに設置した場合にワイヤーバスケットの網目に嵌入する少なくとも２個の突片を前記補助具本体に設けたことを特徴とする請求項５記載の鉗子用洗浄補助具。
【発明の詳細な説明】
【技術分野】
【０００１】
本発明は、手術時等に用いる鉗子を洗浄する場合に利用することができる鉗子用洗浄補助具に関するものである。
【背景技術】
【０００２】
病院において、手術時に使用した鉗子を洗浄する場合、ワイヤーバスケットに汚れたボックスタイプの鉗子を開いた状態で多数本入れ、このワイヤーバスケットを揺動させながら、ジェットシャワーで洗浄する。また、はずしタイプの鉗子においては、鉗子をはずした状態でワイヤーバスケットに入れ、上記と同様の洗浄を行う。
また、特開平７−２７５２５７号公報（特許文献１）、特開平７−２７５２５８号公報（特許文献２）に示されるように特殊な補助具を用いて洗浄を行うことも知られている。
【特許文献１】特開平７−２７５２５７号公報
【特許文献２】特開平７−２７５２５８号公報
【発明の開示】
【発明が解決しようとする課題】
【０００３】
しかしながら、従来の洗浄方法では、ワイヤーバスケットを揺動させると、ワイヤーバスケット内の鉗子が移動し、折角開いて設置した鉗子が閉じてしまって、良好に洗浄できないことしばしば起こる。また、鉗子の先端部がワイヤーバスケットの側壁の網目に刺さって、この部分を破損することもある。
また、はずしタイプの鉗子をはずした状態でワイヤーバスケットに入れて洗浄すると、洗浄後相方を見つけて（番号をあわせて）元の状態に復帰させるのに手間がかかる。また、この作業時に手を傷つけてしまうこともある。
【０００４】
病院では手術の回数も増加していることから、鉗子の洗浄本数も増加しており、迅速且つ良好に洗浄することが要求されている。
さらに、特許文献１、２に示される補助具は機構が複雑で多くの鉗子を一度に洗浄するのには不向きである。
そこで、本発明は上記の課題を解決し、手術で汚れた鉗子を効率よくきれいに洗浄することができ、しかも、鉗子を破損することもなく、手を傷つける可能性も少なく、はずしタイプの鉗子においては、加えて、元の状態に復帰させやすい鉗子用洗浄補助具を提供することを目的とする。なお、本発明において、鉗子には通常の鋏を含むものとする。
【課題を解決するための手段】
【０００５】
本発明の鉗子用洗浄補助具は、金属等の棒状剛体をコ字状に構成した補助具本体を備え、この補助具本体の相対向する一対の腕部のそれぞれの端部にストッパーを設け、鉗子の一対のリングハンドルに前記一対の腕部を挿通したときに、鉗子が所定角度開くように前記腕部の間隔を設定したことを特徴とする。
また、前記補助具本体を洗浄用ワイヤーバスケットに設置した場合にワイヤーバスケットの網目に嵌入する少なくとも２個の突片を前記補助具本体に設けたことを特徴とする。
【０００６】
また、前記一対の腕部の間隔を、一つの洗浄補助具に複数種類設けたことを特徴とする。
また、前記一対の腕部の異なる間隔毎にストッパーを設けたことを特徴とする。
さらに、金属等の棒状剛体で構成された、相対向する一対の腕部とこれらの腕部の両端部それぞれを連結する連結部とよりなる補助具本体を備え、前記一対の連結部は前記一対の腕部が構成する平面に対し一定角度をなしており、前記一対の腕部の間隔は、はずしタイプの鉗子のリングハンドルに前記一対の腕部が挿通する寸法に設定されていることを特徴とする。
【発明の効果】
【０００７】
本発明の鉗子用洗浄補助具によれば、ボックスタイプの鉗子が所定角度（好ましくは９０度）開いた状態を洗浄中維持することができ、ボックス部分の隙間もきれいに洗浄することができる。
また、鉗子をワイヤーバスケットの底面に対し一定の角度を持って設置できるので、鉗子全体を洗浄することができる。
【０００８】
また、ワイヤーバスケットの網目に補助具本体の突片が嵌まり込んでいるので、ワイヤーバスケットが揺動しても、補助具本体がワイヤーバスケット内を移動することがない。したがって、鉗子もあちらこちらと移動せず、鉗子を傷つけてしまうこともない。
洗浄後は洗浄補助具ごと鉗子をワイヤーバスケットから取り出せばよく、多数の鉗子が整然と並んでいるので事後の整理が容易である。
【０００９】
また、大きさの異なる鉗子も一つの補助具で同時に洗浄することができる。
さらに、はずしタイプの鉗子の場合、はずした状態で補助具に並べて挿入すれば、多くの鉗子を洗浄した場合でも相方を容易に見つけて元の状態に復元できる。
【発明を実施するための最良の形態】
【００１０】
以下、本発明の実施の形態を図面を参照して説明する。
図１a,bは本発明の一実施の形態における鉗子用洗浄補助具の平面図及び側面図である。図1a,bに示すように、金属性の棒状体をコ字状に曲げて補助具本体１を作る。この補助具本体１は相対向する一対の腕部２，３とこれらを連結する連結部４とよりなり、一対の腕部２，３の先端部は鈎状に曲げられてストッパー５，６となっている。そして、これらのストッパー５，６と反対の向きに２個の突片７．８が設けられている。この突片７，８は溶接によって、補助具本体１に固定してもよいし、補助具本体１と一体成形してもよい。そして、突片７，８は洗浄用ワイヤーバスケット（金属線等で編んで構成された網目を有し、上方が開口した箱体）の網目に嵌まり込む大きさに作られている。突片７．８は少なくとも２個必要であり、これ以上設けても差し支えない。
【００１１】
補助具本体１は金属が好ましいが、樹脂で構成してもよい。ストッパー５，６は腕部２，３を曲げて構成したが、別体を溶接等により取り付けても良い。
図２に示すように、腕部２，３の間隔は鉗子９の一対のリングハンドル１０a,１０bに腕部２，３を挿通したとき、鉗子９が所定角度α(略９０度が好ましいが、７０〜１１０度）開く寸法に設定されている。１１は上記したワイヤーバスケットを示している。
【００１２】
図２，３に示すように、補助具本体１に多数本のボックスタイプの鉗子９をリングハンドル１０a,１０ｂに腕部２，３を挿通して並べる。このようにしたものを、ワイヤーバスケット１１に設置する。図２，３には示されていないが、図１に示す突片７，８がワイヤーバスケット１１の底面の網目に嵌まり込む。    
鉗子９は図２に示すように所定角度開いた状態になるとともに、図３に示すように保持具本体１の腕部２，３に対し一定の角度βをもって設置される。
【００１３】
洗浄に際しては、別途設けられた自動機械によりワイヤーバスケット１１が揺動する。そして、この状態で洗浄剤を含む水がジェット噴射され、鉗子９が洗浄される。
突片７．８がワイヤーバスケット１１の網目に嵌まり込んでいるので、揺動によっても鉗子９はワイヤーバスケット１１内を移動することはない。ストッパー５，６によって、鉗子９が補助具本体１から脱落することもない。したがって、鉗子９はワイヤーバスケット１１内でばらばらになったり、破損したりすることがない。
【００１４】
図４のaは鉗子９を９０度開いたばあい、bは鉗子９をいっぱいに開いた場合を示しており、aの場合は水流Aがボックス部分１２を通るので洗浄状態はきわめて良好である。ｂの場合は水流Ｂがボックス部分１２で跳ね返るので洗浄の状態はaの場合よりも劣る。
図５のaは本発明の場合の水流の状態を示しており、水流Ｃは鉗子９の裏側にも達し（Ｄ）洗浄は良好に行われる。ｂ従来の場合であり、水流Ｅは鉗子９の裏面に回り込むことは少なく、洗浄の状態は良くない。
【００１５】
図６は本発明の他の実施の形態を示している。この実施の形態は補助具本体の腕部２，３を途中で曲げて鉗子用洗浄補助具としたものである。幅広部１３は大きな鉗子に使用し、幅狭部１４は小さい鉗子用に用いる。幅広部１３と幅狭部１４とを区別するためにストッパー１５，１６を設ける。このストッパー１５，１６は通常は腕部２，３に沿っており、図７に示すように使用時立てることにより幅広部１３の鉗子が幅狭部１４のところに来ないようにしている。ストッパー１５，１６は別体を溶接により取り付けても良い。
【００１６】
また、連結部４を二つに分離し、リベット１７で回動自在とすることにより、洗浄補助具を保管する場合に、図８に示すように２つに畳んでおけばスペースを取らずに収納することができる。また、幅広部１３、幅狭部１４を設けるのに、腕部２，３の一方のみを曲げて作っても良い。
図９ははずしタイプの鉗子に使用する洗浄補助具の斜視図である。この補助具は金属等の棒状体を曲げて構成される。具体的には、相対向する一対の腕部１８，１９とこれら腕部１８，１９の両端部を連結する連結部２０，２１とよりなる補助具本体２２を備えている。そして、一対の連結部２０，２１は一対の腕部１８，１９が構成する平面に対し一定角度をなしており、ストッパーの役割を果たしている。
【００１７】
腕部１８，１９の間隔は、はずしタイプの鉗子のリングハンドルに補助具本体２２が挿通する寸法に設定されている。加えて、補助具本体２２を洗浄用ワイヤーバスケットに設置した場合、ワイヤーバスケットの網目に嵌り込む少なくとも２個の突片２３，２４が補助具本体２２に連結部２０、２１と反対方向に向かって設けられている。
この突片２３，２４は補助具本体２２に一体に成形してもよいし、別体を溶接により固定してもよい。
【００１８】
図１０に示すように、はずしタイプの鉗子をはずしたもの２６a,２６bを並べてリングハンドル２５a,２５bに補助具本体２２の腕部１８，１９を通す。多数のはずしタイプの鉗子を図１０のように並べた状態でワイヤーバスケットに入れ、突片２３，２４をワイヤーバスケットの網目に嵌入して、ワイヤーバスケットを揺動させ、洗浄液をジェット噴射させて洗浄する。このとき鉗子ははずしてあるので全体をきれいに洗浄することができる。
【００１９】
洗浄後、はずした鉗子の相方は横に並んでいるので、はずしたもの２６a,２6ｂにそれぞれ付された同一番号を確認して容易にもとの状態に復帰させることができる。
図１、図６に示す洗浄補助具は基本的には金属棒を曲げて作ることができ、構造は極めて簡単で、安価に製造することができる。その上、洗浄の効果は良好である。
一例を示すと、図１１に示すように、洗浄後の鉗子に残る蛋白質（蛋白質残量）が、本発明の洗浄補助具（図１のもの）を用いた場合Ａと洗浄補助具を用いない従来の場合Ｂとで大きく結果が異なっている。即ち、従来のＢの場合では、蛋白質残量が３６．０３μｇであったのが、本発明のＡの場合では、蛋白質残量が１７．３６μｇと大きく改善されている。
【００２０】
図１１のデータは次の条件で測定されたものである。
・  ボックスロックタイプ鉗子をテストピースとしてＡ（本発明の場合）６個、Ｂ（従来の場合）６個用い、血液を２ｍｌ暴露
・  血液暴露後、鉗子は閉じた状態で室温で一時間放置
ＡとＢに振り分けワイヤーバスケットに積載
・  予備洗浄用スプレー洗剤を散布し、密閉容器で４時間放置
・  ジェットウォッシャーで洗浄（２分予備洗浄、40℃で１０分本洗浄）  
・  クーマシーブリリアントブルーで洗浄力を評価（クーマシ限界測定値１０μｇ）  
【産業上の利用可能性】
【００２１】
本発明は病院等で手術時に使用する鉗子の洗浄に用いて有用である。
【図面の簡単な説明】
【００２２】
【図１】ａ，ｂは本発明の一実施の形態における鉗子用洗浄補助具の側面図及び平面図である。
【図２】同鉗子用洗浄補助具の使用状態の斜視図である。
【図３】同側面図である。
【図４】ａ，ｂは同洗浄状態を説明するための鉗子の斜視図である。
【図５】ａ，ｂは同洗浄状態説明のための原理図である。
【図６】同他の実施の形態における鉗子用洗浄補助具の平面図である。
【図７】同側面図である。
【図８】同折り畳んだ状態の平面図である。
【図９】同他の実施の形態における鉗子用洗浄補助具の斜視図である。
【図１０】同鉗子用洗浄補助具の使用状態を示す斜視図である。
【図１１】図１の鉗子用洗浄補助具を用いた場合と従来の場合との洗浄データを示す図である。
【符号の説明】
【００２３】
１：補助具本体
２，３：腕部
４：連結部
５，６：ストッパー
７，８：突片
９：鉗子
１０ａ，１０ｂ：リングハンドル
１１：ワイヤーバスケット
１２：ボックス部
１３：幅広部
１４：幅狭部
１５，１６：ストッパー
１７：リベット
１８，１９：腕部
２０，２１：連結部
２２：補助具本体
２３，２４：突片
２５ａ，２５ｂ：リングハンドル
２６ａ，２６ｂ：はずしタイプの鉗子
【図１】
2007296242.tif 000003
【図２】
2007296242.tif 000004
【図３】
2007296242.tif 000005
【図４】
2007296242.tif 000006
【図５】
2007296242.tif 000007
【図６】
2007296242.tif 000008
【図７】
2007296242.tif 000009
【図８】
2007296242.tif 000010
【図９】
2007296242.tif 000011
【図１０】
2007296242.tif 000012
【図１１】
2007296242.tif 000013